(57)【要約】【課題】体重移動を利用してバランスをとりながら運転し走行する高齢者向き身障者向きの自動車を提供することを目的としている。【解決手段】ヘルメットなどの体重移動検知体１の設けられた全方向加減速操縦桿２の下端を可動自在に保持する水平回転盤付トロコイド推進後輪制御機構３がジャイロ安定車体１０に設けられるとともに、原動体４とエネルギー供給体５により駆動されうるようになされ、ジャイロ安定車体１０の旋回を阻止する旋回防止前輪６が固定して設けられ、ジャイロ安定車体の前部に肩幅間隔に並設されブレーキ７付きの２本の身体保持ステッキ８が設けられてなる構成【選択図】図１
2010143510.tif 000002
【特許請求の範囲】
【請求項１】
体重移動検知体１が全方向加減速操縦桿２の上端に設けられ、該全方向加減速操縦桿２の下部を可動自在に保持する水平旋回盤付トロコイド推進後輪制御機構３がジャイロ安定車体１０に旋回自在に設けられており、該水平旋回盤付トロコイド推進後輪制御機構３はジャイロ安定車体１０に保持された原動体４およびエネルギー供給体５により駆動されうるようになされ、ジャイロ安定車体１０の前部に固設された旋回防止前輪６によりジャイロ安定車体１０の旋回を阻止しうるようになされ、且つジャイロ安定車体１０の前部に一対のブレーキ７付身体保持ステッキ８が肩幅間隔を置いて並設されてなることを特徴とする体重移動バランス自動車。
【請求項２】
体重移動検知体１が全方向加減速操縦桿２の上端に設けられ、該全方向加減速操縦桿２の下部を可動自在に保持する水平旋回盤付トロコイド推進後輪制御機構３がジャイロ安定車体１０に旋回自在に設けられており、該水平旋回盤付トロコイド推進後輪制御機構３がジャイロ安定車体１０に保持された原動体４およびエネルギー供給体５により駆動されうるようになされ、ジャイロ安定車体１０の前部にこれの旋回を阻止する旋回防止前輪６が設けられ、且つ該旋回防止前輪６が操向自在に保持され、ジャイロ車体１０の前部に一対のブレーキ７付身体保持ステッキ８が肩幅間隔を置いて並設され、該ブレーキ７付身体保持ステッキ８が前輪操向ハンドルとなされてなることを特徴とする体重移動バランス自動車
【請求項３】
前記体重移動検知体１がヘルメット形状となされ、これが全方向加減速操縦桿２と連結され連動構造となされてなることを特徴とする請求項１乃至２に記載の体重移動バランス自動車
【請求項４】
前記体重移動検知体１が背負い容器形状となされ、これが全方向加減速操縦桿２と連結され連動構造となされてなることを特徴とする請求項１乃至２に記載の体重移動バランス自動車
【請求項５】
前記体重移動検知体１が尻密着ベルトもしくは腰密着ベルト形状となされ、これが全方向加減速操縦桿と連結され連動構造となされてなることを特徴とする請求項１乃至２に記載の体重移動バランス自動車
【請求項６】
前記体重移動検知体１が尻サドルもしくは腰掛シート形状となされ、これが全方向加減速操縦桿と連結され連動構造となされてなることを特徴とする請求項１乃至２に記載の体重移動バランス自動車
【発明の詳細な説明】
【技術分野】
【０００１】
運転者の体重移動により操縦出来る、体重移動バランス自動車に関している。
【背景技術】
【０００２】
立って乗る自動車としては、セグウェイスクーター（デカ）やウイングレット（トヨタ）のように体重移動で運転する倒立振り子型電気自動車が特許第３９６５６５１号、特許３９８１７３３号、米国特許第５９７１０９１号などに記載されている。
【０００３】
また、トロコイド推進自動車として、本発明者によるトロコイド自動車関連特許（特許１３８４５６１、１３８４５６９、３４４３７７８号）が知られている。
更に、トロコイド車輪機構を備えた、立ち乗り自動車として、本発明者による２軸操縦トロコイド自走車（特開平９−１９３８５７号）が知られている。
【０００４】
【特許文献１】特許第３９６５６５１号
【特許文献２】特許第３９８１７３３号
【特許文献３】米国特許第５９７１０９１号
【発明の開示】
【発明が解決しようとする課題】
【０００５】
従来の、セグウエイやウイングレット等は平行２輪乗用車なので、立ち乗りして体重移動運転する車としては安定性能に不安があり、乗り降りや操縦が難しく、高齢者や身障者には不適な乗り物となっており、また、電子制御の故障や停止で、静止時や加速・減速，旋回時に転倒するおそれがあり、危なっかしい感じがするという問題点があった。また、電源を切ると自立できないので、不使用時に壁などに立て掛けさせる必要があり、駐車や保管に不便であった。
更に、蟹の横ばいのように、横進や斜行ができないという問題点もあった。
【０００６】
本発明は、このような従来の問題を解決しようとするもので、静止安定、動安定の優れた体重移動バランス自動車を提供することを目的とするものである。
【課題を解決するための手段】
【０００７】
今まで立ち乗り自動車に替わって、本発明体重移動バランス自動車では、運転者の体重移動をヘルメットなどの体重移動検知体で機械的に検知して、これと連動させた全方向加減速操縦桿及び水平旋回盤付きトロコイド推進後輪制御機構を採用し、加速時には前方へ、減速時には後方へ、運転者が体重移動運転を行うことでヘルメットなどの体重移動検知体を使って操縦することで、ジャイロ効果と体重移動で転倒せずバランスをとって安定走行が出来る構成にしたものである。
【０００８】
本願請求項１番目の発明によれば、ヘルメットなどの体重移動検知体１を全方向加減速操縦桿２の上端に設け、全方向加減速操縦桿２の下部を可動自在に保持する水平旋回盤付トロコイド推進後輪制御機構３をジャイロ安定車体１０に旋回自在に設け、これをジャイロ安定車体１０に保持された原動体４及びエネルギー供給体５により駆動しうるようになし、ジャイロ安定車体１０の前部にはこれの旋回を阻止する旋回防止前輪６を固設し、且つジャイロ安定車体の前部にブレーキ７の付いた身体保持ステッキ８を肩幅間隔を置いて２本並設することで、スムーズ加速スムーズ減速スムーズ旋回が出来るようにし、且つ、ジャイロ安定車体を傾きにくくさせ、肩幅間隔の２本の身体保持ステッキ８に身体を預けて、固設された前輪を中心にフォークリフトのような方向変換や旋回が出来、高齢者や身障者でも体重移動運転し易く、安定性を向上させて不安感をなくす構成とした。
【０００９】
また、本願請求項２番目の発明では、水平旋回盤付トロコイド推進後輪制御機構と、２本の身体保持ステッキによる前輪舵取りを使って、加速時や減速時に対応してスムーズに自在変速と横進・斜行が出来るようにし、且つ、ホイールベースの短い車体でも、水平旋回盤の回転時のジャイロ効果を発揮させて、ジャイロ安定車体の水平安定姿勢を維持しつつ体重移動運転を行うことで、横進・斜行時や急速左右旋回時での転倒防止をも力学的に図れるような構成にした。
即ち、本発明請求項２番目の発明では、体重移動検知体１を全方向加減速操縦桿２の上端に設け、全方向加減速操縦桿２の下部を可動自在に保持する水平旋回盤付トロコイド推進後輪制御機構３をジャイロ安定車体１０に旋回自在に設け、これをジャイロ安定車体１０に保持された原動体４及びエネルギー供給体５により駆動しうるように設け、ジャイロ安定車体１０の前部に、これの旋回を阻止する旋回防止前輪６を設け、且つ該旋回防止前輪６を操向可能に保持させ、これを舵取りしうるブレーキ７付きの身体保持ステッキ８を肩幅間隔を置いて２本並設させ、該身体保持ステッキ８を前輪操向ハンドルとなしたことで全輪操舵の自動車の構成となした。
更に、本願請求項第３〜６番目の発明は、体重移動検知体１をヘルメット、背負い容器、腰密着ベルト、尻サドル、腰掛シート形状などとなし、これを全方向加減速操縦桿と連動するように連結した。
【発明の効果】
【００１０】
上記第１の課題解決手段による作用効果は次の通りである。運転者がスタート時には前方に体重を移動し、ヘルメットや腰ベルトや尻サドル等の体重移動検知体で加速運転し、減速時には後方に体重を移動し、ヘルメットや腰密着ベルトや尻サドル等の体重移動検知体で減速運転しうることで、運転者が２本の身体保持ステッキ８で身体を支えながら前後左右に体重移動することでタイムラグ無しで運転でき、姿勢バランスを取って、転倒せず、スムーズに走行することが出来るようになった。
【００１１】
更に、全方向加減速操縦桿と水平旋回盤付トロコイド推進後輪制御機構を使って左右のコーナリングでも、運転者が水平姿勢を保つジャイロ安定車体１０の上で体重移動を左右に巧みに行うことで、バイクのように瞬時に願う加速度で身体を傾けながら旋回走行できるので、ジャイロ安定車体の姿勢安定と多輪駆動の接地圧増強と相俟って、旋回転倒を未然に防ぎ、遠心力を抑えて極めて安全に走行できる。
【００１２】
請求項２番目の発明では、体重移動検知体１が全方向加減速操縦桿２の上端に設けられ、該全方向加減速操縦桿２の下部を可動自在に保持する水平旋回盤付きトロコイド後輪制御機構３がジャイロ安定車体１０に旋回自在に設けられ、該水平旋回盤付きトロコイド推進後輪制御機構３の設けられたジャイロ安定車体１０に保持された原動体４及びエネルギー供給体５により駆動しうるようになされ、ジャイロ安定車体１０の前部には、これの旋回を阻止する旋回防止前輪６が設けられ、該旋回防止前輪が操向自在となされ、且つジャイロ安定車体１０の前部に一対のブレーキ７付きの身体保持ステッキ８が肩幅間隔を置いて並設され、該身体保持ステッキ８が前輪操向ハンドルとなされたことで、斜行や横進も出来るようになった。
【００１３】
請求項３番目の発明では体重移動検知体がヘルメット形状となされ、全方向加減速操縦桿との連動構造となされているから運転者の頭の動きで運転することが出来、高齢者や身障者でも容易に運転できるようになった。
【００１４】
請求項４番目の発明では、体重移動検知体１が背負い容器形状となされ、これが全方向加減速操縦桿２との連動構造となされているから、運転者の背中の動きで運転することが出来る。                
【００１５】
請求項５番目の発明では、体重移動検知体１が尻密着ベルトもしくは腰密着ベルト形状となされ、これが全方向加減速操縦桿２との連動構造となされているから、運転者の尻、腰の動きで運転することが出来る。              
【００１６】
請求項６番目の発明では、体重移動検知体１が尻サドルもしくは腰掛シート形状となされ、これが全方向加減速操縦桿２との連動構造となされているから、運転者は座ったままの尻、腰を前後左右移動させ、その動きで運転することが出来る、                、
【実施例１】
【００１７】
図１において、詳細に説明する。本実施例の体重移動バランス自動車は立ち乗り自動車風にデザインされている。
１はヘルメット形状の体重移動検知体であり、運転者が頭に装着する。２はこれと連結され、テレスコピックで伸縮し、前後左右に動きうるようになされた全方向加減速操縦桿、３は無段変速のトロコイド推進後輪制御機構であり４個の駆動輪を持ち、本発明者による特許第１３８４５６１号及び特開平９−１９３８５７号に詳しい水平旋回盤付トロコイド推進機構よりなる無段変速車輪制御機構であり、ジャイロ安定車体１０後部に保持されている。  ３１は操縦桿支点球面軸受け、３２は操縦桿下端ボールジョイント、３３は４個の放射状リンクでその中央で束ねられており操縦桿下端３２と連結されている。３４は車輪首振りブロック、３５は水平旋回盤プーリー、３６は公転駆動される４個の後部駆動輪である。４はこれらをベルト駆動するモーターの原動体、５はバッテリーのエネルギー供給体、６は舵取り出来ない旋回防止前輪、７は前輪を制動しうるブレーキ、８は肩幅間隔で植設された一対の身体保持ステッキで、右手ハンドルと左手ハンドルがそれぞれハンドルステムで垂直パイプに差し込まれクサビ保持されており、自転車の前輪フォークハンドルと同様に上下及び回転調整されるようになされている。８０は始動スイッチ、９は運転者が頭部に被るヘルメット形状の体重移動検知体、１０はジャイロ安定車体である。
【００１８】
上記構造の体重移動バランス自動車では、運転者が立ち乗りし、ヘルメット９形状の体重移動検知体１を頭に被り、両手を肩幅間隔の２本の身体保持ステッキ８に添えて走行準備をする。始動スイッチ８０を押して原動体４から動力を始動させ水平旋回盤付き後輪制御機構３を旋回させ、４個の駆動後輪３６をぐるぐるとその場旋回させる。全方向加減速操縦桿２が垂直状態では旋回するだけでまだ走らない。
運転者は体重を前方に移動させて頭に被ったヘルメット形状の体重移動検知体１により全方向加減速操縦桿２を前傾させ、無段変速する水平旋回盤付きトロコイド推進後輪制御機構３を作動させ、４個の駆動後輪３６に周期的にサイドフォースを発生させてスムーズに前進加速させる。運転者の身体の前傾姿勢により体重が前方に移動しバランスしているので、また水平旋回盤のジャイロ効果のため、加速が大きくても前輪が浮いたり倒れそうになったりせず、スムーズに発進走行できる。
【００１９】
駆動車輪が４個なので動力分配が効率よく行われ、接地圧変動少なく、滑るように発進走行する。巡航速度になれば、運転者は上体を元に戻す。
また、減速したいときには、運転者が体重移動し頭を後方に移動させて全方向加減速操縦桿２を後ろに動かせると、リバース推進でブレーキがかかり、ヘルメット形状の体重移動検知体１を更に後方に押し、これとつながった全方向加減速操縦桿２を垂直に戻して停止することが出来る。さらに全方向加減速操縦桿２を後方に倒して後退する際にもジャイロ安定車体１０は水平旋回盤で安定を保ちつつ、徐々に後進し、ひっくりかえる虞れがない。
【００２０】
本実施例では、全方向加減速操縦桿２の下に設ける水平旋回盤付き後輪制御機構として、公知のトロコイド推進車輪機構（特開平５−１４７５６２号）を採用している。
即ち、水平旋回盤３５に４個のブロック３４が揺動自在に下面から植設されており、該ブロック３４に駆動輪３６がフリーに軸着されており、放射状リンク３３が４輪自動車の前輪舵取りのタイロッド同様に、ブロック３４と操縦桿下端３２との間に設けられている。操縦桿２が垂直保持されているときは、４個の車輪は
公転運動するだけなので駆動力を生じないが、操縦桿を傾斜させ、回転中心を偏芯させると放射状リンクが周期的押し引き運動を起こして駆動輪３６に首振り運動を起こさせ、コーナーリングフォースを周期的に発生させて、操縦桿を傾けた方向に推進し始める。
【００２１】
本実施例では立ち乗り自動車のデザインとなされており、体重移動検知体１であるヘルメット９が運転者の頭に装着されており、運転者が上体を前傾させると、体重移動検知体１と連結された全方向加減速操縦桿２も前傾し、上体を右傾させると、全方向加減速操縦桿２も右傾し、上体を左傾させると全方向加減速操縦桿２も左傾する仕組みである。
【００２２】
上記構造の本発明体重移動バランス自動車では、ヘルメット形状の体重移動検知体１の設けられた全方向加減速操縦桿２の下に水平旋回盤付きトロコイド推進後輪制御機構３が設けられ、これを保持するジャイロ安定車体１０に、モーターの原動体４、バッテリーのエネルギー供給体５および舵取り出来ない前輪６が設けられ、該車体１０に固定した前輪６を制動するブレーキ７が２本の身体保持ステッキ８に装着されているので、運転者が上体を前倒し、全方向加減速操縦桿を前傾させて、自動車をスムーズに急加速させると、運転者の体重移動バランスが適正に保たれて、安定走行でき、運転者が上体を起こし、全方向加減速操縦桿２を元に戻し、ブレーキ７を作動させて、全部の車輪にブレーキをかけて安全でスムーズな停止することが出来る。
【００２３】
また、運転者が身体を捻って体重移動検知体１を横方向に移動させると、これと一体になった全方向加減速操縦桿２が横方向に動き、固定の前輪を持つジャイロ安定車体１０を旋回させ、フォークリフトのように右左折もしくはその場旋回することが出来る。
ジャイロ安定車体１０は水平旋回盤３５の旋回によるジャイロ効果でホイールベースが短くても姿勢が安定し、乗り降りが楽で、静安定性のみならず動安定性共も極めて良好である。
【実施例２】
【００２４】
本発明体重移動バランス自動車の２番目の実施例を図２に示す。このものは、蟹の横ばい移動の出来る立ち乗りタイプの実施例であり、複数の体重移動検知体１を有する。
【００２５】
１はランドセルのような背負い容器形状で且つ腰密着ベルトを持つ体重移動検知体、２はその下にはめ込み自在に設けられた全方向加減速操縦桿。９２はその全方向加減速操縦桿２の中途に設けられた尻サドルでこれも体重移動検知体１であり、３は水平旋回盤付トロコイド推進後輪制御機構であって前記実施例のものと同じである。（特開平９−１９３８５７号参照）
４はガソリンエンジンの原動体、５はガソリンタンクのエネルギー供給体、６は操向できる小径前輪、７はブレーキ、８は肩幅間隔を置いて設けられ操向ハンドルの機能を有する２本の垂直棒形の身体保持ステッキで前記小径前輪６と一体となされている。身体保持ステッキ８を回すと小径前輪６が回され舵取りできる。ハンドル周りは、全体として竹馬のハンドル形状のようなシンプルな概観となる。８０はエンジン始動ボタンであり、その他は前記実施例と同様である。
【００２６】
上記構造の体重移動バランス自動車では、立ち乗り姿勢の運転者は、背負い容器形状の体重移動検知体１とベルクロ腰密着ベルト９形状の体重移動検知体１と尻サドル９２形状の体重移動検知体１を装着し、肩幅間隔を置いて設けられ操向ハンドルとなされた一対の身体保持ステッキ８に手を添えてこれを９０度横方向に回し、次いで運転者が腰を捻ると背負い容器形状の体重移動検知体１と腰密着ベルト形状の体重移動検知体１と、尻サドル形状の体重移動検知体１との両方が横傾して全方向加減速操縦桿２を傾け、水平旋回盤付トロコイド推進後輪制御機構３により、スムーズに横進するので、蟹の横ばい移動が出来る。
【実施例３】
【００２７】
本発明の３番目の実施例を第３図に示す。
このものは、立ちのりが出来ない身障者用の車椅子形状の体重移動バランス自動車を示す。
１は腰密着ベルト形状の体重移動検知体で、介助者手押しハンドル９３をも持っている。２は全方向加減速操縦桿、３は水平旋回盤付きトロコイド推進後輪制御機構、４はこれを駆動するモーター原動機、５はバッテリーなどエネルギー供給体、６はハンドリムの付いた旋回防止前輪、７はブレーキ、８は肩幅間隔に並設された一対の身体保持ステッキ、９は腰密着ベルト、９３は介助者用手押しハンドル、８０は始動ボタンである。介助者用手押しハンドル９３を押して車椅子を操縦し、乗り手を助けることも出来る。
【００２８】
この構造の体重移動バランス自動車は、立ち乗りの出来ない高齢者や身障者が座面シートに座ったまま体重移動して運転することが出来るようにしたもので、運転者が体重移動してお尻をずらせたことを検知する体重移動検知体１そしてこれとつながった全方向加減速操縦桿２を動かし、車椅子形状の体重移動バランス自動車をスムーズに運転し走らせる。
介助者がいる場合には、介助者用手押しハンドル９３を押して運転でき、高齢者や身障者などに、ハンドル９３で全方向加減速操縦桿２を押してやり、押した方向に進むことにより体重移動検知体１の動かせ方を指導することが出来る。
運転者の体重移動技量がスムーズな運転を保障する。
【産業上の利用可能性】
【００２９】
本発明体重移動バランス自動車では、散歩用のみならず、病院や、公園、美術館、動物園、水族館、展示場など広い施設や構内の移動手段として有効である。
【図面の簡単な説明】
【００３０】
【図１】本発明第１実施例の斜視図
【図２】本発明第２実施例の側面図
【図３】本発明第３実施例の側面図
【符号の説明】
【００３１】
１は体重移動検知体
２は全方向加減速操縦桿
３は水平旋回盤付トロコイド推進後輪制御機構
４は原動体
５はエネルギー供給体
６は旋回防止前輪
７はブレーキ
８は肩幅間隔身体保持ステッキ
【図１】
2010143510.tif 000003
【図２】
2010143510.tif 000004
【図３】
2010143510.tif 000005